(57)【要約】【課題】信頼性を損なうことなく、仕様に沿った動作を確実に実現することが可能な券類処理装置及び券類処理装置の保守方法を提供することを目的とする。【解決手段】券類処理装置４００は、券類に対して所定の処理を施すのに必要な動作条件を設定するスイッチＳＷと、スイッチＳＷの設定変更を受け付ける前の第１タイミングでスイッチＳＷの第１設定状態を記憶するメモリ部４０２と、スイッチＳＷの設定変更を受け付けた後の第２タイミングでのスイッチＳＷの第２設定状態と、メモリ部４０２に記憶したスイッチＳＷの第１設定状態とに基づいて、設定状態の異なるスイッチＳＷを検知するＣＰＵ４０１と、検知された設定状態の異なるスイッチＳＷを報知する係員表示部４１４と、を備えたことを特徴とする。【選択図】    図２
2004334308.tif 000002
【特許請求の範囲】
【請求項１】
券類に対して所定の処理を施すのに必要な動作条件を設定するスイッチと、
前記スイッチの設定変更を受け付ける前の第１タイミングで前記スイッチの設定状態を記憶する記憶手段と、
前記スイッチの設定変更を受け付けた後の第２タイミングでの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
を備えたことを特徴とする券類処理装置。
【請求項２】
券類に対して所定の処理を施すのに必要な動作条件を設定するスイッチと、
前記スイッチの設定変更を受け付ける前の第１タイミングで前記スイッチの第１設定状態を記憶するとともに、前記スイッチの設定変更を受け付けた後の第２タイミングで前記スイッチの第２設定状態を記憶する記憶手段と、
前記記憶手段に記憶した前記第１設定状態と、前記第２設定状態とに基づいて、前記第１設定状態とは異なる設定の前記スイッチを検知する検知手段と、
前記検知手段により検知された前記第１設定状態とは異なる前記スイッチを報知する報知手段と、
を備えたことを特徴とする券類処理装置。
【請求項３】
券類に対して所定の処理を施すのに必要な動作条件を設定するスイッチと、
前記スイッチの設定変更を受け付ける前の第１タイミングで前記スイッチの設定状態を記憶する記憶手段と、
前記スイッチの設定変更を受け付けた後の第２タイミングでの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記検知手段により設定状態の異なる前記スイッチを検知しなかった場合に、券類に対して所定の処理を施す通常動作モードに復帰させる制御手段と、
を備えたことを特徴とする券類処理装置。
【請求項４】
券類に対して所定の処理を施すのに必要な動作条件を設定するスイッチと、
前記スイッチの設定変更を受け付ける前の第１タイミングで前記スイッチの設定状態を記憶する記憶手段と、
前記スイッチの設定変更を受け付けた後の第２タイミングでの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記報知手段により報知された前記スイッチの設定変更を受け付けるとともに、前記報知手段により報知された前記スイッチの設定状態の確認完了指示を受け付けた場合に、券類に対して所定の処理を施す通常動作モードに復帰させる制御手段と、
を備えたことを特徴とする券類処理装置。
【請求項５】
券類に対して所定の処理を施すのに必要な機構部を保守するための保守モードを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに、前記保守モード開始前の前記スイッチの設定状態を記憶する記憶手段と、
前記保守モード完了の指示を受け付けたときの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
を備えたことを特徴とする券類処理装置。
【請求項６】
券類に対して所定の処理を施すのに必要な機構部を保守するための保守モードを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに前記保守モード開始前の前記スイッチの第１設定状態を記憶するとともに、前記保守モード完了の指示を受け付けたときの前記スイッチの第２設定状態を記憶する記憶手段と、
前記記憶手段に記憶した前記第１設定状態と、前記第２設定状態とに基づいて、前記第１設定状態とは異なる設定の前記スイッチを検知する検知手段と、
前記検知手段により検知された前記第１設定状態とは異なる前記スイッチを報知する報知手段と、
を備えたことを特徴とする券類処理装置。
【請求項７】
券類に対して所定の処理を施す通常動作モードと、券類に対して所定の処理を施すのに必要な機構部を保守するための保守モードとを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに、前記保守モード開始前の前記スイッチの設定状態を記憶する記憶手段と、
前記保守モード完了の指示を受け付けたときの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記検知手段により設定状態の異なる前記スイッチを検知しなかったとき、前記開閉検知手段により前記カバーが閉状態であることを検知した場合に前記通常動作モードに復帰させる制御手段と、
を備えたことを特徴とする券類処理装置。
【請求項８】
券類に対して所定の処理を施す通常動作モードと、券類に対して所定の処理を施すのに必要な機構部を保守するための保守モードとを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに、前記保守モード開始前の前記スイッチの設定状態を記憶する記憶手段と、
前記保守モード完了の指示を受け付けたときの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記報知手段により報知された前記スイッチの設定変更を受け付けるとともに、前記報知手段により報知された前記スイッチの設定状態の確認完了指示を受け付けたとき、前記開閉検知手段により前記カバーが閉状態であることを検知した場合に前記通常動作モードに復帰させる制御手段と、
を備えたことを特徴とする券類処理装置。
【請求項９】
券類に対して所定の処理を施す通常動作モードと、券類に対して所定の処理を施すのに必要な機構部を保守するための保守モードとを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに、前記保守モード開始前の前記スイッチの設定状態を記憶する記憶手段と、
前記開閉検知手段により前記カバーが閉状態であることを検知したときの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記検知手段により設定状態の異なる前記スイッチを検知しなかった場合に前記通常動作モードに復帰させる制御手段と、
を備えたことを特徴とする券類処理装置。
【請求項１０】
券類に対して所定の処理を施す通常動作モードと、券類に対して所定の処理を施すのに必要な機構部を保守するための保守モードとを備えた券類処理装置において、
前記機構部の動作条件を設定するスイッチと、
少なくとも一部の前記機構部を覆うカバーと、
前記カバーの開閉状態を検知する開閉検知手段と、
前記開閉検知手段により前記カバーが開状態であることを検知したときに、前記保守モード開始前の前記スイッチの設定状態を記憶する記憶手段と、
前記開閉検知手段により前記カバーが閉状態であることを検知したときの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
前記開閉検知手段により前記カバーが開状態であることを検知したとき、前記報知手段により報知された前記スイッチの設定変更を受け付けるとともに、前記報知手段により報知された前記スイッチの設定状態の確認完了指示を受け付けたとき、前記開閉検知手段により前記カバーが閉状態であることを検知した場合に前記通常動作モードに復帰させる制御手段と、
を備えたことを特徴とする券類処理装置。
【請求項１１】
券類に対して所定の処理を施すのに必要な動作条件を設定するスイッチの設定変更を受け付ける前の第１タイミングで前記スイッチの設定状態を記憶し、
設定状態の記憶が完了した場合に、前記スイッチの設定変更を受け付け、
前記スイッチの設定変更を受け付けた後の第２タイミングでの前記スイッチの設定状態と、記憶した前記スイッチの設定状態とを比較し、
比較結果に基づいて、設定状態の異なる前記スイッチを検知し、
検知された設定状態の異なる前記スイッチを報知する、
ことを特徴とする券類処理装置の保守方法。
【請求項１２】
券類に対して所定の処理を施すのに必要な動作条件を設定するスイッチの設定変更を受け付ける前の第１タイミングで前記スイッチの設定状態を記憶し、
設定状態の記憶が完了した場合に、前記スイッチの設定変更を受け付け、
前記スイッチの設定変更を受け付けた後の第２タイミングでの前記スイッチの設定状態と、記憶した前記スイッチの設定状態とを比較し、
前記比較結果に基づいて、設定状態の異なる前記スイッチを検知し、
検知された設定状態の異なる前記スイッチを報知し、
設定状態の異なる前記スイッチを検知しなかった場合に、券類に対して所定の処理を施す通常動作モードに復帰する、
ことを特徴とする券類処理装置の保守方法。
【請求項１３】
券類に対して所定の処理を施すのに必要な動作条件を設定するスイッチの設定変更を受け付ける前の第１タイミングで前記スイッチの設定状態を記憶し、
設定状態の記憶が完了した場合に、前記スイッチの設定変更を受け付け、
前記スイッチの設定変更を受け付けた後の第２タイミングでの前記スイッチの設定状態と、記憶した前記スイッチの設定状態とを比較し、
前記比較結果に基づいて、設定状態の異なる前記スイッチを検知し、
検知された設定状態の異なる前記スイッチを報知し、
報知された前記スイッチの設定変更を受け付け、
報知された前記スイッチの設定状態の確認完了指示を受け付けた場合に、券類に対して所定の処理を施す通常動作モードに復帰する、
ことを特徴とする券類処理装置の保守方法。
【請求項１４】
券類に対して所定の処理を施すのに必要な機構部を保守するための保守モードを備えた券類処理装置の保守方法において、
少なくとも一部の前記機構部を覆うカバーが開状態であることを検知したときに、前記保守モード開始前の前記機構部の動作条件を設定するスイッチの設定状態を記憶し、
設定状態の記憶が完了した場合に、前記スイッチの設定変更を受け付け、
前記保守モード完了の指示を受け付けたときの前記スイッチの設定状態と、記憶した前記スイッチの設定状態とを比較し、
比較結果に基づいて、設定状態の異なる前記スイッチを検知し、
検知された設定状態の異なる前記スイッチを報知する、
ことを特徴とする券類処理装置の保守方法。
【請求項１５】
券類に対して所定の処理を施す通常動作モードと、券類に対して所定の処理を施すのに必要な機構部を保守するための保守モードとを備えた券類処理装置の保守方法において、
少なくとも一部の前記機構部を覆うカバーが開状態であることを検知したときに、前記保守モード開始前の前記機構部の動作条件を設定するスイッチの設定状態を記憶し、
設定状態の記憶が完了した場合に、前記スイッチの設定変更を受け付け、
前記保守モード完了の指示を受け付けたときの前記スイッチの設定状態と、記憶した前記スイッチの設定状態とを比較し、
比較結果に基づいて、設定状態の異なる前記スイッチを検知し、
検知された設定状態の異なる前記スイッチを報知し、
設定状態の異なる前記スイッチを検知しなかったとき、前記カバーが閉状態であることを検知した場合に前記通常動作モードに復帰する、
ことを特徴とする券類処理装置の保守方法。
【請求項１６】
券類に対して所定の処理を施す通常動作モードと、券類に対して所定の処理を施すのに必要な機構部を保守するための保守モードとを備えた券類処理装置の保守方法において、
少なくとも一部の前記機構部を覆うカバーが開状態であることを検知したときに、前記保守モード開始前の前記機構部の動作条件を設定するスイッチの設定状態を記憶し、
設定状態の記憶が完了した場合に、前記スイッチの設定変更を受け付け、
前記保守モード完了の指示を受け付けたときの前記スイッチの設定状態と、記憶した前記スイッチの設定状態とを比較し、
比較結果に基づいて、設定状態の異なる前記スイッチを検知し、
検知された設定状態の異なる前記スイッチを報知し、
報知された前記スイッチの設定変更を受け付け、
報知された前記スイッチの設定状態の確認完了指示を受け付けたとき、前記カバーが閉状態であることを検知した場合に前記通常動作モードに復帰する、
ことを特徴とする券類処理装置の保守方法。
【請求項１７】
券類に対して所定の処理を施す通常動作モードと、券類に対して所定の処理を施すのに必要な機構部を保守するための保守モードとを備えた券類処理装置の保守方法において、
少なくとも一部の前記機構部を覆うカバーが開状態であることを検知したときに、前記保守モード開始前の前記機構部の動作条件を設定するスイッチの設定状態を記憶し、
設定状態の記憶が完了した場合に、前記スイッチの設定変更を受け付け、
前記カバーが閉状態であることを検知したときの前記スイッチの設定状態と、記憶した前記スイッチの設定状態とを比較し、
比較結果に基づいて、設定状態の異なる前記スイッチを検知し、
検知された設定状態の異なる前記スイッチを報知し、
設定状態の異なる前記スイッチを検知しなかった場合に前記通常動作モードに復帰する、
ことを特徴とする券類処理装置の保守方法。
【請求項１８】
券類に対して所定の処理を施す通常動作モードと、券類に対して所定の処理を施すのに必要な機構部を保守するための保守モードとを備えた券類処理装置の保守方法において、
少なくとも一部の前記機構部を覆うカバーが開状態であることを検知したときに、前記保守モード開始前の前記機構部の動作条件を設定するスイッチの設定状態を記憶し、
設定状態の記憶が完了した場合に、前記スイッチの設定変更を受け付け、
前記カバーが閉状態であることを検知したときの前記スイッチの設定状態と、記憶した前記スイッチの設定状態とを比較し、
比較結果に基づいて、設定状態の異なる前記スイッチを検知し、
検知された設定状態の異なる前記スイッチを報知し、
前記カバーが開状態であることを検知したとき、報知された前記スイッチの設定変更を受け付け、報知された前記スイッチの設定状態の確認完了指示を受け付けたとき、前記カバーが閉状態であることを検知した場合に前記通常動作モードに復帰する、
ことを特徴とする券類処理装置の保守方法。
【発明の詳細な説明】
【０００１】
【発明の属する技術分野】
この発明は、券類処理装置及び券類処理装置の保守方法に係り、特に、乗車券などの券類を処理する駅務機器及びこの駅務機器の保守方法に関する。
【０００２】
【従来の技術】
近年、入場券や乗車券などの券類を処理する券類処理装置が実用化されている。券類処理装置としては、例えば、必要な券情報を有する券類の発行処理を行う券売機、券類の券情報に基づいて改札処理を行う改札機、券類の券情報に基づいて精算処理を行う精算機などがある。
【０００３】
このような券類処理装置は、設置会社や設置場所などの仕様に合わせて、各種処理モード、処理機能、処理機構部などの動作条件を設定するためのハードスイッチやソフトスイッチなどの各種スイッチ類を備えている。例えば、所定の処理機構部の動作を不要とする第１仕様に合わせた券類処理装置では、所定処理機構部の動作条件を設定するためのスイッチは「ＯＦＦ」に設定される。これに対して、所定の処理機構部の動作を必要とする第２仕様に合わせた券類処理装置では、所定処理機構部の動作条件を設定するためのスイッチは「ＯＮ」に設定される。このようなスイッチ類の設定により、同一の券類処理装置でありながら、異なる仕様に対応することができる。
【０００４】
このようなスイッチ類の変更を設定した場合、設定変更結果は、スイッチ類を操作可能な係員のチェック／確認に依存している。また、このようなスイッチ類の設定変更結果として、現在設定状態すなわち設定変更後の状態を表示／印刷などの方法で出力するような機能を持つ券類処理装置が提案されている（例えば、特許文献１参照。）。
【０００５】
【発明が解決しようとする課題】
近年、券類処理装置の多機能化に伴い、備えられたスイッチ類の数も膨大なものとなってきている。このような券類処理装置において、点検時や障害発生時に行われる保守モードでは、係員によって各種機構部の動作確認時にそれぞれ対応するスイッチの設定が変更される場合がある。そして、その後、通常の券類処理動作を行う通常処理モードに復帰することがある。
【０００６】
このような状況下において、保守モードでは、スイッチ類の設定変更が可能であるが、係員が意図して設定変更を行った後に通常動作モードに復帰する場合と、係員が意図せずに設定変更を行った状態のままで通常動作モードに復帰してしまう場合とがある。
【０００７】
前者の場合には、仕様変更に伴う設定変更であるため、問題とならない。しかしながら、後者の場合には、券類処理装置を異なる仕様で動作させてしまうことになり、重大なトラブルを引き起すおそれがある。つまり、種々の要求に対応可能なように多機能化された券類処理装置であっても、意図しない設定変更のために仕様に沿った動作を確実に実現することが困難となり、券類処理装置の信頼性を損なうだけでなく、券類処理装置を採用する側の要求に対応することができなくなってしまう。
【０００８】
この発明は、上述した問題点に鑑みなされたものであって、その目的は、信頼性を損なうことなく、仕様に沿った動作を確実に実現することが可能な券類処理装置及び券類処理装置の保守方法を提供することにある。
【０００９】
【課題を解決するための手段】
この発明の第１の様態による券類処理装置は、
券類に対して所定の処理を施すのに必要な動作条件を設定するスイッチと、
前記スイッチの設定変更を受け付ける前の第１タイミングで前記スイッチの設定状態を記憶する記憶手段と、
前記スイッチの設定変更を受け付けた後の第２タイミングでの前記スイッチの設定状態と、前記記憶手段に記憶した前記スイッチの設定状態とに基づいて、設定状態の異なる前記スイッチを検知する検知手段と、
前記検知手段により検知された設定状態の異なる前記スイッチを報知する報知手段と、
を備えたことを特徴とする。
【００１０】
この発明の第２の様態による券類処理装置の保守方法は、
券類に対して所定の処理を施すのに必要な動作条件を設定するスイッチの設定変更を受け付ける前の第１タイミングで前記スイッチの設定状態を記憶し、
設定状態の記憶が完了した場合に、前記スイッチの設定変更を受け付け、
前記スイッチの設定変更を受け付けた後の第２タイミングでの前記スイッチの設定状態と、記憶した前記スイッチの設定状態とを比較し、
比較結果に基づいて、設定状態の異なる前記スイッチを検知し、
検知された設定状態の異なる前記スイッチを報知する、
ことを特徴とする。
【００１１】
【発明の実施の形態】
以下、この発明の一実施の形態に係る券類処理装置及び券類処理装置の保守方法について図面を参照して説明する。
【００１２】
図１に示すように、改札システム１は、ホストコンピュータ１０と、券類を処理する券類処理装置とによって構成されている。すなわち、ホストコンピュータ１０は、通信回線２０を介して券類処理装置として、磁気式及び無線式の券類を処理する改札機１００、券売機２００、精算機３００などに接続されている。なお、券類としては、入場券の他に、普通乗車券、回数券、特急券、定期券、プリペイドカードの機能を備えた乗車券などがある。
【００１３】
ホストコンピュータ１０は、改札システム１全体を制御するＣＰＵ１１を有している。このＣＰＵ１１には、ホストコンピュータ１０を制御するための制御データなどを記憶しているメモリ部１２、システムの状態やホストコンピュータ１０の動作状態などを表示する表示部１３、種々の情報を入力するためのキーボードなどを有する入力部１４、各券類処理装置との間で通信回線２０を介してデータの送受信を行う通信制御部１５などが接続されている。
【００１４】
改札機１００は、券類の券情報に基づいて改札処理を行う。すなわち、この改札機１００は、券類に対して所定の処理を施すことが可能な通常動作モードにおいて、利用者が所持する（また利用者によって投入された）券類を受け取り、券類に記憶された改札処理に必要な券情報を読み取り、この券情報に基づいて改札処理を行う。
【００１５】
券売機２００は、必要な券情報を有する券類の発行処理を行う。すなわち、券売機２００は、通常動作モードにおいて、券類を利用する利用者の操作による条件入力を受け付け、対価を受け取ることにより、入力された条件に基づいて所定の券情報を記憶した券類を発行する。また、この券売機２００は、通常動作モードにおいて、利用者によって投入された無線カード（無線通信により改札処理可能な券類）を受け取り、受け取った現金の金額を加算するチャージ処理を行う。
【００１６】
精算機３００は、券類の券情報に基づいて精算処理を行う。すなわち、精算機３００は、通常動作モードにおいて、利用者によって投入された券類を受け取り、券類に記憶された精算処理に必要な券情報を読み取り、この券情報に基づいて精算処理を行う。
【００１７】
次に、上述した改札機１００、券売機２００、精算機３００などの券類処理装置４００の構成について説明する。
【００１８】
すなわち、図２に示すように、券類処理装置４００は、検知手段及び制御手段として機能するＣＰＵ４０１を備えている。また、この券類処理装置４００は、メモリ部４０２、券類処理部４０４、検知回路部４０６、表示制御部４０８、通信制御部４１０、係員用操作部４１２、係員用表示部４１４などを備え、それぞれＣＰＵ４０１に接続されている。
【００１９】
メモリ部４０２は、記憶手段として機能し、ＣＰＵ４０１の制御プログラムを記憶しているＲＯＭ、券類から読み取った券情報を一時的に記憶するとともに制御プログラムのバッファとして情報を記憶するＲＡＭ、入場駅からこの券類処理装置４００の設置駅までの改札処理及び精算処理に必要な運賃情報を記憶している運賃メモリなどを備えて構成されている。
【００２０】
券類処理部４０４は、券類に対して所定の処理を施すのに必要な種々の機構部を備えている。検知回路部４０６は、券類に対して所定の処理を施すのに必要な機構部として機能する人間検知センサ４０７からの出力信号を検知し、人間の接近や所定エリアの通過を検知するのに必要な検知信号をＣＰＵ４０１に出力する。
【００２１】
表示制御部４０８は、券類に対して所定の処理を施すのに必要な機構部として機能する表示部４０９の表示動作を制御し、表示部４０９に処理結果などを表示させる。通信制御部４１０は、通信回線を介してホストコンピュータ１０に接続され、ホストコンピュータ１０との間でデータを送受信する。
【００２２】
係員用操作部４１２は、設置会社や設置場所などの仕様に合わせて、券類に対して所定の処理を施すのに必要な各種処理モード、処理機能、機構部などの動作条件を設定するためのハードスイッチやソフトスイッチなどの各種スイッチＳＷを備えている。
【００２３】
係員用表示部４１４は、各種情報を表示することによって報知する報知手段として機能し、券類処理装置の動作状態や各種スイッチＳＷの設定状態などを表示する。この係員用表示部４１４は、例えばタッチパネルを内蔵した表示装置によって構成され、係員用操作部４１２としての機能を兼ね備えてもよい。
【００２４】
この券類処理装置４００は、上述した各種構成を筐体内に備え、そのうち上述した各種機構部の少なくとも一部を覆うカバー４２０を備えている。また、この券類処理装置４００は、カバーの開閉状態を検知する開閉検知手段として機能する開閉検知センサ４２２を備えている。
【００２５】
例えば、券類処理装置４００は、改札機１００として適用された場合、上述した構成の他にさらに、以下のような機構部を備える。すなわち、券類処理装置４００は、改札通路の通過を阻止するドア機構、券類に磁気処理を施す磁気処理部、無線通信により券類に所定処理を施す無線通信部、券類に印刷処理を施す印刷部、券類にパンチ処理を施すパンチ部などを備える。磁気処理部、無線通信部、印刷部、パンチ部は、上述した券類処理部４０４を構成する。
【００２６】
また、券類処理装置４００は、券売機２００及び精算機３００として適用された場合、上述した構成の他にさらに、以下のような機構部を備える。すなわち、券類処理装置４００は、券類（入場券、乗車券、精算券など）を発行するのに必要な条件入力を受け付ける入力部、紙幣及び硬貨といった現金を受け取るとともに真偽判定や種別判定を行った後に必要に応じて釣銭を算出して排出する現金処理部、プリペイドカードなどのカード類に磁気記録されている情報を読み出すとともにこの投入されたカード類に対して情報を記録するカード処理部、券類に磁気処理を施す磁気処理部、無線通信により券類に所定処理を施す無線通信部、必要な券類情報を有する券類を発行する発行部などを備える。磁気処理部、無線通信部、発行部は、上述した券類処理部４０４を構成する。
【００２７】
上述した係員用操作部４１２に備えられた各種スイッチＳＷは、上述した各種機構部の動作条件に対応して設けられる他に、券類に対して所定の処理を施すのに必要な各種処理モード、処理機能などにも対応して設けられている。例えば、券類として定期券を処理する改札機においては、必要に応じて定期券に記録された入場記録や出場記録をチェックする機能を有している。また、券類として無線式券類を処理する改札機においては、同一券類から１回の改札処理で多重に料金を引き去ることを防止する機能を有している。スイッチＳＷは、これらの機能のＯＮ／ＯＦＦを設定するために設けられている。
【００２８】
このような券類処理装置４００は、上述した各種通常動作モードの他に、券類に対して処理を施すのに必要な各種機構部を保守するための保守モードを備えている。
以下に、券類処理装置４００に適用される第１の保守モードについて図３のフローチャートを参照して説明する。
【００２９】
すなわち、券類処理装置４００のＣＰＵ４０１は、例えば係員用操作部４１２を介して保守モード開始の指示を受け付けたか否かを判断する（ＳＴ１１）。そして、ＣＰＵ４０１は、保守モード開始の指示を受け付けた場合に（ＳＴ１１、Ｙ）、すべてのスイッチＳＷの設定状態（第１設定状態）をメモリ部４０２に記憶する（ＳＴ１２）。
【００３０】
例えば、メモリ部４０２は、図４に示すように、各スイッチＳＷと動作条件の項目群とを対応させ且つ保守モード開始前の各スイッチＳＷの設定状態を記憶する。図４に示した例では、保守モード開始の指示を受け付けた時すなわち保守モード開始前の設定状態として、項目Ａに対応するスイッチＳＷ１の設定状態が「ＯＦＦ」（「０」）、項目Ｂに対応するスイッチＳＷ２の設定状態が「ＯＦＦ」、項目Ｃに対応するスイッチＳＷ３の設定状態が「ＯＮ」（「１」）、項目Ｄに対応するスイッチＳＷ４の設定状態が「ＯＮ」…である場合を示している。
【００３１】
なお、ここでは、保守モード開始の指示を受け付けたのに基づいてスイッチＳＷの設定状態を記憶したが、係員操作部４１２に設けられたボタン、例えば「記憶開始」ボタンの押下を検知したのに基づいてスイッチＳＷの設定状態を記憶するようにしても良い。
【００３２】
ＣＰＵ４０１は、メモリ部４０２へのスイッチＳＷの設定状態の記憶が完了した後に、スイッチＳＷの設定変更を受け付ける（ＳＴ１３）。そして、点検や障害発生の解除のための保守モードが実行可能となる。つまり、ＣＰＵ４０１は、保守モード開始の指示を受け付けてからスイッチの設定状態の記憶が完了するまでの間はスイッチＳＷをロックし、設定変更を受け付けない。これにより、保守モード開始前のスイッチＳＷの設定状態を確実に記憶することができる。
【００３３】
そして、ＣＰＵ４０１は、スイッチＳＷの設定変更を受け付け可能な状態において、「保守完了」ボタンの押下を検知したか否かを判断する（ＳＴ１４）。すなわち、ＣＰＵ４０１は、例えば係員用操作部４１２に設けられた「保守完了」ボタンの押下を検知したのに基づいて保守モードが完了したことに対応する指示を受け付けたと判断する。
【００３４】
例えば、図５に示すように、「保守完了」ボタンＢ１は、タッチパネル内蔵の表示装置によって構成された係員用表示部４１４に表示しても良い。図５に示した例では、係員用表示部４１４は、「保守完了」ボタンＢ１の他に、項目Ａに対応するスイッチＳＷ１の設定状態「ＯＦＦ」、項目Ｂに対応するスイッチＳＷ２の設定状態「ＯＦＦ」、項目Ｃに対応するスイッチＳＷ３の設定状態「ＯＮ」、項目Ｄに対応するスイッチＳＷ４の設定状態「ＯＮ」…なども同時に表示している。
【００３５】
また、図５に示した例では、スイッチＳＷが多数存在する場合に、１画面ですべてのスイッチＳＷの設定状態を表示できない場合に対応して、前画面の表示を指示するための「前」ボタンＢ２、次画面の表示を指示するための「次」ボタンＢ３なども同時に表示している。
【００３６】
そして、この係員用表示部４１４は、表示した各スイッチＳＷの設定状態「ＯＮ」または「ＯＦＦ」への接触を検知して各スイッチＳＷの設定状態を変更するよう構成してもよい。
【００３７】
そして、ＣＰＵ４０１は、「保守完了」ボタンＢ１の押下を検知した場合に（ＳＴ１４、Ｙ）、保守モード完了の指示を受け付けたときの各スイッチＳＷの設定状態と、先にステップＳＴ１２にてメモリ部４０２に記憶した各スイッチＳＷの設定状態とを比較する比較処理を行う（ＳＴ１５）。すなわち、ＣＰＵ４０１は、保守モード完了の指示を受け付けたのに基づいて、すべてのスイッチＳＷの設定状態（第２設定状態）をメモリ部４０２に記憶する。
【００３８】
例えば、メモリ部４０２は、図６に示すように、各スイッチＳＷと動作条件の項目群とを対応させ且つ保守モード完了後の各スイッチＳＷの設定状態を記憶する。図６に示した例では、保守モード完了指示を受け付けた時すなわち保守モード完了後の設定状態として、項目Ａに対応するスイッチＳＷ１の設定状態が「ＯＦＦ」、項目Ｂに対応するスイッチＳＷ２の設定状態が「ＯＮ」、項目Ｃに対応するスイッチＳＷ３の設定状態が「ＯＦＦ」、項目Ｄに対応するスイッチＳＷ４の設定状態が「ＯＮ」…である場合を示している。
【００３９】
そして、ＣＰＵ４０１は、メモリ部４０２へのスイッチＳＷの設定状態の記憶が完了した後に、保守モード開始前の各スイッチＳＷの第１設定状態と保守モード完了後の各スイッチＳＷの第２設定状態とに基づいて、設定状態の異なるスイッチを検知する。
【００４０】
続いて、ＣＰＵ４０１は、設定状態の異なるスイッチを検知しなかった場合、すなわち保守モード開始前と完了後とでスイッチの設定変更がないと判断した場合には（ＳＴ１６、Ｎ）、相違がない旨を通知する（ＳＴ１７）。例えば、ＣＰＵ４０１は、係員用表示部４１４に設定状態の異なるスイッチが存在しない旨のメッセージを表示する。そして、ＣＰＵ４０１は、通常動作モードに復帰して（ＳＴ１８）、保守モードを終了する。
【００４１】
一方、ＣＰＵ４０１は、設定状態の異なるスイッチを検知した場合、すなわち保守モード開始前と完了後とでスイッチの設定変更があると判断した場合には（ＳＴ１６、Ｙ）、相違がある旨すなわち設定状態の異なるスイッチが存在する旨を通知するとともに、設定状態の異なるスイッチを報知する（ＳＴ１９）。
【００４２】
例えば、ＣＰＵ４０１は、係員表示部４１４に設定状態の異なるスイッチが存在する旨のメッセージを表示するとともに、少なくとも設定状態の異なるスイッチを表示する。このとき、係員用表示部４１４は、設定状態の異なるスイッチを個別に表示しても良いし、設定状態の異なるスイッチの一覧を表示しても良い。また、係員用表示部４１４は、すべてのスイッチについて設定状態を表示するとともに設定状態に変更のあるスイッチと設定状態に変更のないスイッチとを異なる表示方法で表示しても良い。例えば、設定状態の異なるスイッチについては、点滅表示や反転表示などとすることで係員によって認知されやすくなる。
【００４３】
なお、ステップＳＴ１７及びＳＴ１９における通知及び報知の他の仕方としては、券類処理装置に設けられたランプの点灯／点滅、警報音の鳴動、券類処理装置に接続可能な外部機器や上位のホストコンピュータ１０への通知などでも可能である。特に、ランプや警報音などによって対応する場合には、スイッチの設定状態に相違なしの場合と相違ありの場合とで区別できるように設定しておくことが必要である。
【００４４】
ここでは、例えば、図７に示すように、係員用表示部４１４は、各項目に対応するスイッチＳＷの設定状態を表示するとともに、保守モード開始前と設定状態の異なるスイッチＳＷについてはその項目を点滅表示している。すなわち、上述した例では、項目Ｂについて保守モード開始前に「ＯＦＦ」であった設定が保守モード完了後に「ＯＮ」に変更されているとともに、項目Ｃについて保守モード開始前に「ＯＮ」であった設定が保守モード完了後に「ＯＦＦ」に変更されている。
【００４５】
ＣＰＵ４０１は、係員表示部４１４において、設定状態の変更を検知した「項目Ｂ」、「項目Ｃ」…をそれぞれ点滅表示する一方で、設定状態の変更を検知しなかった「項目Ａ」、「項目Ｄ」…を点滅表示とは異なる方法、例えば常時点灯表示する。
【００４６】
また、図７に示した例では、スイッチＳＷが多数存在する場合に、１画面ですべてのスイッチＳＷの設定状態を表示できない場合に対応して、前画面の表示を指示するための「前」ボタンＢ２、次画面の表示を指示するための「次」ボタンＢ３なども同時に表示している。
【００４７】
そして、ＣＰＵ４０１は、設定状態の変更を検知した項目に対応するスイッチＳＷの設定変更を受け付けるとともに、設定状態の変更を検知した項目の確認を促す「確認」ボタンＢ４の押下を検知する（ＳＴ２０）。図７に示した例では、ＣＰＵ４０１は、係員用表示部４１４に「項目Ｂ」、「項目Ｃ」…にそれぞれ対応して「確認」ボタンＢ４を表示する。変更されていないスイッチＳＷ１及びＳＷ４に対応する確認ボタンを表示しても良い。
【００４８】
これら係員用表示部４１４に表示した「確認」ボタンＢ４は、接触を検知することでボタンの押下を検知するよう構成してもよい。また、設定状態の変更を検知した項目に対応するスイッチＳＷ２，３…については、スイッチＳＷの設定状態「ＯＮ」または「ＯＦＦ」への接触を検知してスイッチＳＷの設定状態を変更するよう構成されている。なお、設定状態の変更を検知しなかった項目に対応するスイッチＳＷ１、４…などについては、設定変更を受け付けないように規制しても良い。
【００４９】
ＣＰＵ４０１は、設定状態の変更を検知した項目に対応するスイッチの設定変更を受け付けた場合（ＳＴ２０、Ｎ；ＳＴ２１）、例えば項目Ｂの設定状態「ＯＦＦ」への接触を検知した場合には、スイッチＳＷ２の設定状態を「ＯＮ」から「ＯＦＦ」に変更する。
【００５０】
そして、ＣＰＵ４０１は、設定状態の変更を検知した項目に対応するスイッチの設定変更を受け付けることなく「確認」ボタンＢ４の押下を検知した場合には（ＳＴ２０、Ｙ）、設定状態の変更を検知しなかった「項目Ａ」、「項目Ｄ」…などと同様の表示方法となり、ここでは常時点灯表示とする。
【００５１】
続いて、ＣＰＵ４０１は、「確認完了」ボタンの押下を検知したか否かを判断する（ＳＴ２２）。すなわち、ＣＰＵ４０１は、例えば係員用操作部４１２に設けられた「確認完了」ボタンの押下を検知したのに基づいて設定変更が成されたスイッチＳＷの確認作業が完了したことに対応する指示を受け付けたと判断する。例えば、図７に示すように、「確認完了」ボタンＢ５は、タッチパネル内蔵の表示装置によって構成された係員用表示部４１４に表示しても良い。
【００５２】
そして、ＣＰＵ４０１は、「確認完了」ボタンＢ５の押下を検知しない場合には（ＳＴ２２、Ｎ）、通常動作モードへの復帰を阻止し、ステップＳＴ２０での「確認」ボタンＢ４の押下及びステップ２２での「確認完了」ボタンＢ５の押下を促す。つまり、「確認」ボタンＢ４及び「確認完了」ボタンＢ５の押下を検知するまでは、仮に保守モードを完了したとしても通常動作モードに復帰することはできない。
【００５３】
そして、ＣＰＵ４０１は、「確認完了」ボタンＢ５の押下を検知した場合には（ＳＴ２２、Ｙ）、通常動作モードに復帰して（ＳＴ１８）、保守モードを終了する。
【００５４】
上述したように、このような構成の券類処理装置及びこの券類処理装置に適用される保守方法によれば、券類に対して所定の処理を施すのに必要な動作条件を設定するためのスイッチについて、保守モードを開始する前の設定状態と保守モードを完了した後の設定状態とを比較する。これにより、保守モード開始前の設定状態とは異なるスイッチを検知することが可能となる。そして、検知した設定状態の異なるスイッチを係員に報知することにより、係員に確認を促すことが可能となる。
【００５５】
また、係員による確認が行われなかった場合（「確認」ボタンの押下及び「確認完了」ボタンの押下を検知しなかった場合）には、保守モードを完了したとしても通常動作モードに復帰することを阻止する。これにより、係員の意図しないスイッチの設定変更が成された状態で通常動作モードに復帰することが防止され、仕様とな異なる設定で券類処理装置を動作させてしまうことを防止できる。したがって、信頼性に低下を防止することができる。
【００５６】
さらに、係員によって意図して設定変更された場合であっても、係員により設定状態の異なるスイッチの確認作業が成されるため、仕様変更に伴う設定変更にも対応可能である。
【００５７】
また、券類処理装置の多機能化に伴い、スイッチ類の数が膨大なもとなっても、設定変更されたすべてのスイッチを確実に検知することができ、それぞれの仕様に沿った動作を確実に実現することができる。したがって、スイッチ類の設定により、同一の券類処理装置でありながら、異なる仕様に対応することができ、汎用性を向上することが可能となる。
【００５８】
次に、券類処理装置４００に適用される第２の保守モードについて図８のフローチャートを参照して説明する。この第２の保守モードは、券類処理装置４００のカバー４２０の開状態を検知した場合に開始されるものである。なお、この第２の保守モードでは、第１の保守モードと同様の処理については同様のステップ番号を付して詳細な説明を省略する。
【００５９】
すなわち、券類処理装置４００のＣＰＵ４０１は、開閉検知センサ４２２からの出力信号に基づいてカバー４２０の開状態を検知したか否かを判断する（ＳＴ３１）。そして、ＣＰＵ４０１は、カバー４２０の開状態を検知した場合に（ＳＴ３１、Ｙ）、保守モード開始の指示を受け付けたと判断し、すべてのスイッチＳＷの設定状態をメモリ部４０２に記憶する（ＳＴ１２）。
【００６０】
ＣＰＵ４０１は、メモリ部４０２へのスイッチＳＷの設定状態の記憶が完了した後に、スイッチＳＷの設定変更を受け付ける（ＳＴ１３）。そして、点検や障害発生の解除のための保守モードが実行可能となる。そして、ＣＰＵ４０１は、スイッチＳＷの設定変更を受け付け可能な状態において、「保守完了」ボタンの押下を検知したか否かを判断する（ＳＴ１４）。
【００６１】
そして、ＣＰＵ４０１は、「保守完了」ボタンＢ１の押下を検知した場合に（ＳＴ１４、Ｙ）、保守モード完了の指示を受け付けたときの各スイッチＳＷの設定状態と、先にステップＳＴ１２にてメモリ部４０２に記憶した各スイッチＳＷの設定状態とを比較する比較処理を行う（ＳＴ１５）。
【００６２】
続いて、ＣＰＵ４０１は、設定状態の異なるスイッチを検知しなかった場合には（ＳＴ１６、Ｎ）、相違がない旨を通知するとともにカバー４２０を閉じるよう案内する（ＳＴ１７）。そして、ＣＰＵ４０１は、開閉検知センサ４２２からの出力信号に基づいてカバー４２０の閉状態を検知した場合には（ＳＴ３２、Ｙ）、通常動作モードに復帰して（ＳＴ１８）、保守モードを終了する。
【００６３】
一方、ＣＰＵ４０１は、設定状態の異なるスイッチを検知した場合には（ＳＴ１６、Ｙ）、相違がある旨を通知するとともに、設定状態の異なるスイッチを報知する（ＳＴ１９）。そして、ＣＰＵ４０１は、設定状態の変更を検知した項目に対応するスイッチＳＷの設定変更を受け付ける（ＳＴ２１）とともに、設定状態の変更を検知した項目の確認を促す「確認」ボタンＢ４の押下を検知する（ＳＴ２０）。
【００６４】
そして、ＣＰＵ４０１は、「確認完了」ボタンＢ５の押下を検知しない場合には（ＳＴ２２、Ｎ）、通常動作モードへの復帰を阻止し、「確認完了」ボタンＢ５の押下を検知した場合には（ＳＴ２２、Ｙ）、カバー４２０を閉じるよう案内し、開閉検知センサ４２２からの出力信号に基づいてカバー４２０の閉状態を検知したとき（ＳＴ３２、Ｙ）、通常動作モードに復帰して（ＳＴ１８）、保守モードを終了する。
【００６５】
また一方で、図９に示すように、ＣＰＵ４０１は、ステップＳＴ１４において、「保守完了」ボタンＢ１の押下を検知することなく（ＳＴ１４、Ｎ）、開閉検知センサ４２２からの出力信号に基づいてカバー４２０の閉状態を検知した場合には（ＳＴ３３、Ｙ）、カバー４２０の閉状態を検知したときの各スイッチＳＷの設定状態と、先にステップＳＴ１２にてメモリ部４０２に記憶した各スイッチＳＷの設定状態とを比較する比較処理を行う（ＳＴ３４）。
【００６６】
続いて、ＣＰＵ４０１は、設定状態の異なるスイッチを検知しなかった場合には（ＳＴ３５、Ｎ）、通常動作モードに復帰して（ＳＴ３６）、保守モードを終了する。
【００６７】
一方、ＣＰＵ４０１は、設定状態の異なるスイッチを検知した場合には（ＳＴ３５、Ｙ）、異常の報知すなわち相違がある旨を報知するとともにカバー４２０を開くよう案内する（ＳＴ３７）。そして、ＣＰＵ４０１は、開閉検知センサ４２２からの出力信号に基づいてカバーの閉状態を検知している間は（ＳＴ３８、Ｎ）異常の報知（ＳＴ３７）を継続する。この異常の報知は、カバー４２０を閉状態としても係員に報知できる仕方で成され、例えばランプの点灯／点滅や警報音の鳴動、音声によるメッセージの出力などで対応可能である。そして、ＣＰＵ４０１は、開閉検知センサ４２２からの出力信号に基づいてカバー４２０の開状態を検知した場合に（ＳＴ３８）、ステップＳＴ１９に戻る。
【００６８】
上述したように、このような構成の券類処理装置及びこの券類処理装置に適用される保守方法によれば、カバーの開状態の検知をトリガとして保守モードを開始する。このような構成においては、保守完了ボタンの押下を検知することなくカバーの閉状態を検知した場合、券類に対して所定の処理を施すのに必要な動作条件を設定するためのスイッチについて、保守モードを開始する前の設定状態とカバーの閉状態を検知したときの設定状態とを比較する。これにより、保守モード開始前の設定状態とは異なるスイッチを検知した場合に、検知した設定状態の異なるスイッチを係員に報知することで、係員に確認を促すことが可能となる。また、確認ボタンや確認完了ボタンの押下を検知することなくカバーの閉状態を検知した場合にも同様に、保守モード開始前の設定状態とは異なるスイッチを検知した場合に、検知した設定状態の異なるスイッチを係員に報知することで、係員に確認を促すことが可能となる。
【００６９】
したがって、係員による確認が行われなかったスイッチが存在する場合には、例えカバーが閉状態となっても通常動作モードに復帰することを阻止する。これにより、係員の意図しないスイッチの設定変更が成された状態で通常動作モードに復帰することが防止され、仕様とな異なる設定で券類処理装置を動作させてしまうことを防止できる。したがって、信頼性に低下を防止することができる。
【００７０】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７１】
【発明の効果】
以上説明したように、この発明によれば、信頼性を損なうことなく、仕様に沿った動作を確実に実現することが可能な券類処理装置及び券類処理装置の保守方法を提供することができる。
【図面の簡単な説明】
【図１】図１は、この発明の一実施の形態に係る改札システムの構成を概略的に示す図である。
【図２】図２は、この発明の一実施の形態に係る券類処理装置の構成の一例を概略的に示す図である。
【図３】図３は、図２に示した券類処理装置に適用可能な第１の保守モードを説明するためのフローチャートである。
【図４】図４は、保守モード開始前のタイミングにおいてメモリに記憶される設定状態の一例を説明するための図である。
【図５】図５は、保守モードにおけるスイッチの設定変更を受け付け可能な状態を説明するための図である。
【図６】図６は、保守モード完了後のタイミングにおいてメモリに記憶される設定状態の一例を説明するための図である。
【図７】図７は、保守モードにおいて成された比較処理にて設定状態の異なるスイッチを検知した状態を説明するための図である。
【図８】図８は、図２に示した券類処理装置に適用可能な第２の保守モードを説明するためのフローチャートである。
【図９】図９は、図２に示した券類処理装置に適用可能な第２の保守モードを説明するためのフローチャートである。
【符号の説明】
１００…改札機、２００…券売機、３００…精算機、４００…券類処理装置、４０１…ＣＰＵ（制御手段、検知手段）、４０２…メモリ部（記憶手段）、４０４…券類処理部、４０６…検知回路部、４０７…人間検知センサ、４０８…表示制御部、４０９…表示部、４１０…通信制御部、４１２…係員用操作部、４１４…係員用表示部、４２０…カバー、４２２…開閉検知センサ、ＳＷ…スイッチ
【図１】
2004334308.tif 000003
【図２】
2004334308.tif 000004
【図３】
2004334308.tif 000005
【図４】
2004334308.tif 000006
【図５】
2004334308.tif 000007
【図６】
2004334308.tif 000008
【図７】
2004334308.tif 000009
【図８】
2004334308.tif 000010
【図９】
2004334308.tif 000011